(57)【要約】      （修正有）【課題】ゴルフのスイングの練習を行うにあたって、通常のゴルフクラブと同様の握り具合を確保しつつ、素振りをすることでゴルフのスイングに必要な筋肉の鍛錬が可能なゴルフ素振り練習具を提供する。【解決手段】金属製のシャフト１０と、シャフトの先端に設けられた略円柱状の錘２０と、シャフトの後端に設けられたゴルフクラブ用のグリップ１６とを備えてゴルフクラブ素振り練習具を構成する。【選択図】図１
0003157063.tif 000002
【実用新案登録請求の範囲】
【請求項１】
ゴルフのスイングの練習を行うためのゴルフ素振り練習具において、
金属製のシャフトと、
該シャフトの先端に設けられた略円柱状の錘と、
該シャフトの後端に設けられたゴルフクラブ用のグリップとを備えることを特徴とするゴルフ素振り練習具。
【請求項２】
前記シャフトの長さが、約０．４ｍ〜約０．７ｍであることを特徴とする請求項１記載のゴルフ素振り練習具。
【請求項３】
前記錘及び前記シャフトの重さが、約１ｋｇ〜約０．６ｋｇであることを特徴とする請求項１又は請求項２記載のゴルフ素振り練習具。
【請求項４】
前記錘が、前記シャフトから着脱可能であることを特徴とする請求項１〜請求項３のいずれかに記載のゴルフ素振り練習具。
【考案の詳細な説明】
【技術分野】
【０００１】
本発明は、ゴルフのスイングの練習を行うためのゴルフ素振り練習具に関する。
【背景技術】
【０００２】
従来より、ゴルフのスイングの練習を行うための練習具として、いろいろな物が提案されている。例えば、特許文献１に示すようなゴルフスイング練習具がある。このゴルフスイング練習具は、ゴルフ用クラブの長さにほぼ匹敵する長さの合成樹脂製のやや太いパイプシャフト内に、いずれもコイルばねからなる伸長ばねと圧縮ばねとを伸縮作動自在なルーズな状態に挿入配置したもので、素振りを行うことで両ばねに遠心力に伴う伸縮作動を生じさせる構造を有している。
【０００３】
一方、ゴルフのスイングの練習を行うための専用の練習具に換えて、野球のバットを振るケースも多く見られる。
【先行技術文献】
【特許文献】
【０００４】
【特許文献１】特開２００７−２７５１６７号公報
【考案の概要】
【考案が解決しようとする課題】
【０００５】
しかしながら、従来のゴルフ素振り練習具で実際のゴルフクラブに近い長さになっているものは、スイングの練習のために広いスペースを要してしまう。また、従来のゴルフ素振り練習具で実際のゴルフクラブに近い重さになっているものは、素振りにより筋力の強化を行うことが困難である。尚、野球のバットでは、実際のゴルフクラブよりグリップ部分が太く握った感触がゴルフクラブとは異なるため、スイングの練習を適正に行うことは困難である。
【０００６】
本考案は、このような事情に鑑みてなされたもので、通常のゴルフクラブと同様の握り具合を確保しつつ、素振りをすることでゴルフのスイングに必要な筋肉の鍛錬が可能なゴルフ素振り練習具を提供することにある。
【課題を解決するための手段】
【０００７】
請求項１記載のゴルフ素振り練習具は、金属製のシャフトと、シャフトの先端に設けられた略円柱状の錘と、シャフトの後端に設けられたゴルフクラブ用のグリップとを備えることを特徴とする。
【０００８】
請求項２記載のゴルフ素振り練習具は、シャフトの長さが、約０．４ｍ〜約０．７ｍであることを特徴とする。
【０００９】
請求項３記載のゴルフ素振り練習具は、錘及び前記シャフトの重さが、約１ｋｇ〜約０．６ｋｇであることを特徴とする。
【００１０】
請求項４記載のゴルフ素振り練習具は、錘が、前記シャフトから着脱可能であることを特徴とする。
【考案の効果】
【００１１】
請求項１及び請求項３の考案によれば、シャフトの先端に所定の重さの略円柱状の錘と、シャフトの後端に設けられたゴルフクラブ用のグリップとを備えることから、通常のゴルフクラブと同様の握り具合を確保しつつ、素振りをすることでゴルフのスイングに必要な筋肉の鍛錬が可能である。
【００１２】
請求項２の考案によれば、通常のゴルフクラブよりも長さが短いことから、狭い場所でも素振りの練習が可能である。
【００１３】
請求項４の考案によれば、錘を交換することが可能で、それぞれの使用者のニーズに沿った重さや長さに調整することが可能である。
【図面の簡単な説明】
【００１４】
【図１】本考案に係るゴルフ素振り練習具の一例を示す正面図である。
【図２】同ゴルフ素振り練習具の断面図である。
【考案を実施するための形態】
【００１５】
以下、本考案の形態について図面を参照しながら具体的に説明する。図１は、本考案に係るゴルフ素振り練習具の一例を示す正面図である。図２は、同ゴルフ素振り練習具の断面図である。
【００１６】
図１及び図２において、本考案の形態におけるゴルフ素振り練習具１は、ゴルフのスイングの練習を行うためのものである。ゴルフ素振り練習具１は、シャフト１０、グリップ１６、錘２０等で構成されている。シャフト１０は、金属製で、通常のゴルフクラブと同様な太さである。長さは、約０．４ｍ〜約０．７ｍで、通常のゴルフクラブの長さの約１／２程度である。シャフト１０の先端は、雄ねじ１２が螺刻されている。シャフト１０の後端には、グリップ１６が被着されている。このグリップ１６は、通常のゴルフクラブに用いられているものであればよい。
【００１７】
錘２０は、金属製で略円柱状で、端面に雌ねじ２２が穿設されている。そして、あらかじめ雄ねじ１２にナット３０が螺嵌されたシャフト１０の先端である雄ねじ１２を錘２０の雌ねじ２２に螺着することで、錘２０がシャフト１０に固定される。尚、螺着された錘２０方向にナット３０を回転させることで、錘２０がシャフト１０に強固に固定される。尚、錘２０はシャフト１０に螺着されているので、錘２０をシャフト１０から取り外し、他の形状や重さの錘に交換することも可能である。
【００１８】
シャフト１０は、円柱状でも円筒状でもかまわないが、錘２０を固定していることから円柱状が好ましい。シャフト１０と錘２０との重さの合計は、約１ｋｇ〜約０．６ｋｇである。
【００１９】
素振りを行う場合には、通常のゴルフクラブと同様にグリップ１６を握り、錘２０を下に下げた状態で、スイングを行えばよい。
【００２０】
以上のように、本実施の形態のゴルフ素振り練習具１によれば、シャフト１０の先端に所定の重さの略円柱状の錘２０と、シャフト１０の後端に設けられたゴルフクラブ用のグリップ１６とを備えることから、通常のゴルフクラブと同様の握り具合を確保しつつ、素振りをすることでゴルフのスイングに必要な筋肉の鍛錬が可能である。
【００２１】
また、通常のゴルフクラブよりも長さが短いことから、狭い場所でも素振りの練習が可能である。
【００２２】
さらに、錘２０を交換することが可能で、それぞれの使用者のニーズに沿った重さや長さに調整することが可能である。
【産業上の利用可能性】
【００２３】
本考案により、通常のゴルフクラブと同様の握り具合を確保しつつ、素振りをすることでゴルフのスイングに必要な筋肉の鍛錬が可能なゴルフ素振り練習具を提供することができる。
【符号の説明】
【００２４】
１・・・・ゴルフ素振り練習具
１０・・・シャフト
１２・・・雄ねじ
１６・・・グリップ
２０・・・錘
２２・・・雌ねじ
３０・・・ナット
【図１】
0003157063.tif 000003
【図２】
0003157063.tif 000004